(57)【要約】 【課題】家屋などを傷つけることがなく、また仏壇の設置場所を問わず適切かつ容易に施工することができる仏壇などの転倒防止装置装置を提供する。【解決手段】下部の当接片１２を下台１における天板２に係合し、上部の当接片１３を上台４における座板５に係合した一方の当接金具Ａと、下部の当接片２２を下台１における天板２に係合し、上部の当接片２３を上台４における座板５に係合した他方の当接金具Ｂを左右両側に配設する。天板２と座板５の間に配置した帯状体３０の一端を緊締手段Ｃを介して一方の当接金具Ａに連結し、他端を他方の当接金具Ｂに固定した。【選択図】  図２
2005046291.tif 000002
【特許請求の範囲】
【請求項１】
下部の当接片を下台における天板に係合し、上部の当接片を上台における座板に係合する当接金具を左右両側に配設すると共に、上記の当接金具を、天板と座板の間を通した帯状体に緊締手段を介して連結したことを特徴とする仏壇などの転倒防止装置。
【発明の詳細な説明】
【技術分野】
【０００１】
この発明は、地震発生時における物損事故さらには人身事故などを未然に防止することができる仏壇などの転倒防止装置に関するものである。
【背景技術】
【０００２】
大形の仏壇など（家具、棚などを含む）は上下において二つ以上に分離して構成されており、特に古くに設置されたものは、接合面が平で上台が下台に単に載置されているだけである。このため、地震が発生したときなど、上台が簡単に横ズレしてバランスを崩し、転倒してしまうという問題が指摘されていた。そして、これに起因する事故例(物損事故、火災、人身事故など)が先の震災から多く報告されている。
【０００３】
図５に示すものは、一般的に推奨されている転倒防止方法であり、ここでは家屋の梁５０と上台５１の天板５２にそれぞれ金具５３，５４を取りつけて、これを針金５５などによって連結すると共に、上台５１と下台５６とをネジ止め式の結合金具５７によって固定したものである。
【０００４】
上記した従来の転倒防止方法では、金具などの取りつけが面倒であり、また仏壇そのもの或いは家屋の一部を傷つけてしまうという問題点があった。さらには仏壇が設置されている状況如何では、適切な施工ができず進捗状態は遅々としているのが現状である。
【特許文献１】特開平８−２５６８５９
【発明の開示】
【発明が解決しようとする課題】
【０００５】
本発明が解決しようとする課題は、家屋などを傷つけることがなく、また仏壇の設置場所を問わず適切かつ容易に施工することができる仏壇などの転倒防止装置を得ることにある。
【課題を解決するための手段】
【０００６】
上記の課題を解決するために、本発明に係る仏壇などの転倒防止装置は、次のようにしたものである。すなわち、その要旨とするところは、下部の当接片を下台における天板に係合し、上部の当接片を上台における座板に係合する当接金具を左右両側に配設すると共に、上記の当接金具を、天板と座板の間を通した帯状体に緊締手段を介して連結したことにある。
【発明の効果】
【０００７】
本発明に係る仏壇などの転倒防止装置は、施工に当って家屋、仏壇などに細工が要らずこれを傷つけることがない。また仏壇などの設置条件を選ばず容易に施工することができるという優れた効果を発揮する。さらに地震の揺れ方向の如何に拘わらず優れた転倒防止効果を発揮することができる。
【発明を実施するための最良の形態】
【０００８】
家屋などを傷つけることがなく、また仏壇の設置場所を問わず適切かつ容易に施工することができる。また地震の揺れ方向の如何に拘わらず優れた転倒防止効果が得られるという目的を、コンパクトかつ最小の部品点数をもって実現した。
【実施例１】
【０００９】
この発明に係る仏壇などの転倒防止装置装置を一実施例について説明する。図１において、１は仏壇を構成する下台  ２は下台１の天板  ３ａ、３ｂは下台１の側板  ４は天板２上に設置した上台  ５は上台４の底面部に設けた座板  ６ａ、６ｂは側板である。上記の下台１には、周知の引出し、棚などを設け、また上台４には扉および厨子を備えて本尊などを配置する。
【００１０】
Ａは一方の当接金具の全体を示し、この当接金具Ａは、中空のホルダー１１に保持した正面視レ形状の下部の当接片１２および上部の当接片１３からなる。当接片１２、１３はその垂直辺をホルダー１１のスライド案内孔１４に嵌合し、傾斜辺を天板２と側板３ａの交差部および座板５と側板６ａの交差部に斜めに向けてそれぞれ突出する。
【００１１】
当接片１２、１３の垂直辺には、ホルダー１１に螺合した止めネジ１５、１６を係合して高さ調整後の当接片１２、１３の位置を固定する。傾斜辺の先端には前記交差部に当接するクッションパッド１７、１８を取りつける。
【００１２】
図２において、Ｂは他方の当接金具の全体を示しており、この当接金具Ｂは前述した一方の当接金具Ａと対象形をなすものである。従って、この実施例では重複した説明を省略して符号の説明だけに留めることにする。
【００１３】
すなわち、２１はホルダー  ２２はホルダー２１に保持した下部の当接片  ２３は同じく上部の当接片  ２４はホルダー２１のスライド案内孔  ２５、２６は下部の当接片２２と上部の当接片２３に係合した止めネジ  ２７、２８はクッションパッドである。
【００１４】
次に３０は、天板２と座板５の間を通して、両端を天板２と座板５の両側方に延び出した柔軟で伸縮性の小さい、例えばシートベルト素材からなる帯状体  この帯状体の一端は、他方の当接金具Ｂのホルダー２１に外付ケース３１を使って固定する。また他端は、後述する緊締手段を介して一方の当接金具Ａに保持する。
【００１５】
緊締手段Ｃは、ホルダー１１に固定したケース４０と、ケース４０内に設けた受爪４１および受爪４１に対応して可動的に設けた押え爪４２を備える。押え爪４２は、支軸４３によって回動自在に支持されると共にバネ４４によって受爪４１に押付けられるように付勢される。受爪４１と押え爪４２に挟着された状態にあって、帯状体３０は外方への繰り出しのみを許容して保持される。
【００１６】
一実施例に係る仏壇などの転倒防止装置を施工するには次のようにする。それには先ず、下台１と上台４との間に適宜のスペーサを入れて、天板２と座板５の間に隙間を設ける。そして、この状態において、隙間に帯状体３０を配置する。この帯状体３０は左右方向にして中央に一列を配設する。
【００１７】
帯状体３０を配置したならば、スペーサを外して隙間をなくした状態で、他方の当接金具Ｂにおける下部の当接片２２と上部の当接片２３をそれぞれ天板２と座板５に近接して当接する。この操作は、帯状体３０の一端を外方へ向けて引っ張ることで行うことができる。先端のクッションパッド２７、２８が適所に当接しないようであれば、当接片２２、２３を上下方向で調整して適宜に設定する。
【００１８】
以上のようにして当接金具Ｂを位置決めしたならば、続いて一方の当接金具Ａの設定を行う。受爪４１と押え爪４１の間に帯状体３０を通した状態で当接金具Ａを下台１と上台４に接近し、上部および下部の当接片１２、１３を天板２と座板５の適所に当接する。受爪４１と押え爪４２は帯状体３０の外方への繰り出しのみを許容しているので、当接状態において帯状体３０が弛緩することがない。よって緊張状態を保持することができる。
【００１９】
なお、この一方の当接金具Ａにおいても、クッションパッド１７、１８が天板２と側板３ａの交差部および座板５と側板６ａの交差部に適切に当接しないようであれば、当接片１２、１３をそれぞれ上下調整して対応する。
【００２０】
以上の各設定操作が終了したならば、スペーサを全て取り外して施工を完了する。なお帯状体３０は、その厚さが僅かであるが、厳密には天板１と座板５にガタを生ずることになる。これによって不具合が生ずるような場合には、天板１と座板５の間に適宜のクッション材を介装すれば良い。このクッション材は、摩擦係数の大きい細片を隅角部に四ケ所配置すれば足りる。
【００２１】
実施例に係る仏壇などの転倒防止装置の施工後において、地震が発生した場合、上台４は、その慣性によって例えば図１の左右方向にスベリ力を作用する。この力は、両側の当接金具Ａ、Ｂとこれらを連結した帯状体３０にかかるが、三者が弛緩のない状態に配置されているので、下台１に対して上台４がズレることがない。よって、上台４の転倒を防止することができる。
【００２２】
また地震の揺れ方向によっては、前記と直交する方向にスベリ力が発生する。この場合は、天板２と当接片および座板５と当接片１１、２１の前後方向の摩擦によって上台４のスベリが阻止される。また上下の振動にあっては、天板２と座板５を下部の当接片１２、２２および上部の当接片１３、２３が挟むように保持するので、これによって上台４の浮き上がりを阻止し、転倒事故を防止することができる。
【００２３】
なお上記の一実施例では、両側の当接金具Ａ、Ｂとこれを連結する帯状体３０を中央に一列配置したが、大形の仏壇にあっては、複数列配設することができる。また一実施例では、一方の当接金具Ａのみに緊締手段Ｃを備えたが、両方の当接金具Ａ、Ｂに備えても良い。
【産業上の利用可能性】
【００２４】
本発明に係る転倒防止装置は、仏壇に限らず収納棚、たんすなど一般家具類に適用することができる。
【図面の簡単な説明】
【００２５】
【図１】仏壇などの転倒防止装置の一実施例を示す正面図である。
【図２】同じく、要部の構成を示す一部切欠き正面図である。
【図３】同じく、一方の当接金具の構造を示す縦断正面図である。
【図４】同じく、縦断側面図である。
【図５】従来の転倒防止方法を示す説明図である。
【符号の説明】
【００２６】
１          下台
２          天板
３ａ、３ｂ  側板
４          上台
５          座板
６ａ、６ｂ  側板
Ａ          一方の当接金具
１１        中空のホルダー
１２        下部の当接片
１３        上部の当接片
１４        スライド案内孔
１７、１８  クッションパッド
Ｂ          他方の当接金具
２１        ホルダー  
２２        下部の当接片
２３        上部の当接片
２４        スライド案内孔
２７、２８  クッションパッド
３０        帯状体
Ｃ          緊締手段
４０        ケース
４１        受爪
４２        押え爪
４３        支軸
【図１】
2005046291.tif 000003
【図２】
2005046291.tif 000004
【図３】
2005046291.tif 000005
【図４】
2005046291.tif 000006
【図５】
2005046291.tif 000007